(57)【要約】      （修正有）【課題】近距離無線通信装置における電源制御機能を有する近距離無線通信システム及び方法を提供する。【解決手段】近距離無線通信装置が近距離無線通信（ＮＦＣ）を用いて携帯端末機に接続される場合に、リンクキーを要請するリンクキー要請メッセージを前記携帯端末機に送信し（４０３）、前記リンクキー要請メッセージに応じたリンクキー確認メッセージを前記携帯端末機から受信すると（４１１）、前記近距離無線通信装置の電源がオン状態となる（４１５）。【選択図】図４
2014078944.tif 000002
【特許請求の範囲】
【請求項１】
近距離無線通信装置における電源制御システムであって、
前記近距離無線通信装置は、近距離無線通信（ＮＦＣ）を用いて携帯端末機の第１の近距離無線通信部に接続される場合に、リンクキーを要請するリンクキー要請メッセージを前記第１の近距離無線通信部に送信し、前記リンクキー要請メッセージに応じたリンクキー確認メッセージを前記第１の近距離無線通信部から受信すると、前記近距離無線通信装置の電源をオンさせる第２の近距離無線通信部を有することを特徴とする電源制御機能を有する近距離無線通信システム。
【請求項２】
近距離無線通信装置は、
前記リンクキーが前記リンクキー確認メッセージに含まれている場合に、前記含まれたリンクキーを用いて前記携帯端末機の第１のブルートゥース（登録商標）通信部とブルートゥース（登録商標）接続を確立する第２のブルートゥース（登録商標）通信部を有することを特徴とする請求項１に記載の電源制御機能を有する近距離無線通信システム。
【請求項３】
携帯端末機が近距離無線通信装置の電源を制御するシステムであって、
前記携帯端末機は、近距離無線通信（ＮＦＣ）を用いて前記近距離無線通信装置の第２の近距離無線通信部に接続される場合に、前記第２の近距離無線通信部からリンクキーを要請するリンクキー要請メッセージを受信し、前記リンクキー要請メッセージに応じてリンクキー確認メッセージを前記第２の近距離無線通信部に送信する第１の近距離無線通信部と、
前記第１の近距離無線通信部から前記リンクキー要請メッセージを受信すると、予め記憶されている少なくとも１つ以上のリンクキーのうちで前記近距離無線通信装置に対応するリンクキーを検索し、前記検索の結果に基づいて前記リンクキー確認メッセージを生成する第１のブルートゥース（登録商標）（ＢＴ）通信部とを有することを特徴とする電源制御機能を有する近距離無線通信システム。
【請求項４】
前記リンクキー要請メッセージは、前記近距離無線通信装置を示す識別子（ＩＤ）を含むことを特徴とする請求項１、又は３に記載の電源制御機能を有する近距離無線通信システム。
【請求項５】
前記リンクキー確認メッセージは、前記識別子に対応するリンクキーを含むことを特徴とする請求項１、又は３に記載の電源制御機能を有する近距離無線通信システム。
【請求項６】
前記第１のブルートゥース（登録商標）通信部は、前記近距離無線通信装置から接続要請メッセージを受信すると、前記検索されたリンクキーを用いて前記近距離無線通信装置の第２のブルートゥース（登録商標）通信部とブルートゥース（登録商標）接続を確立することを特徴とする請求項３に記載の電源制御機能を有する近距離無線通信システム。
【請求項７】
近距離無線通信装置における電源制御方法であって、
前記近距離無線通信装置が、近距離無線通信（ＮＦＣ）を用いて携帯端末機に接続される場合に、
前記近距離無線通信装置は、リンクキーを要請するリンクキー要請メッセージを前記携帯端末機に送信するステップと、
前記リンクキー要請メッセージに応じたリンクキー確認メッセージを受信すると、前記近距離無線通信装置の電源をオンさせるステップと
を有することを特徴とする電源制御方法。
【請求項８】
前記リンクキーが前記リンクキー確認メッセージに含まれている場合に、前記含まれたリンクキーを用いて前記携帯端末機とブルートゥース（登録商標）（ＢＴ）接続を確立するステップをさらに含むことを特徴とする請求項７に記載の電源制御方法。
【請求項９】
携帯端末機における近距離無線通信装置の電源を制御する方法であって、
前記携帯端末機が近距離無線通信（ＮＦＣ）を用いて近距離無線通信装置に接続される場合に、
前記携帯端末機は、リンクキーを要請するリンクキー要請メッセージを前記近距離無線通信装置から受信するステップと、
予め記憶されている少なくとも１つ以上のリンクキーのうちで前記近距離無線装置に対応するリンクキーを検索し、前記検索の結果に基づいて前記リンクキー確認メッセージを生成するステップと、
前記近距離無線通信を用いて前記リンクキー確認メッセージを前記近距離無線通信装置に送信するステップと
を有することを特徴とする電源制御方法。
【請求項１０】
前記リンクキー要請メッセージは、前記近距離無線通信装置を示す識別子（ＩＤ）を含むことを特徴とする請求項７又は９に記載の電源制御方法。
【請求項１１】
前記リンクキー確認メッセージは、前記識別子に対応するリンクキーを含むことを特徴とする請求項７又は９に記載の電源制御方法。
【請求項１２】
前記携帯端末機は、前記近距離無線通信装置から接続要請メッセージを受信すると、前記検索したリンクキーを用いて前記近距離無線通信装置とブルートゥース（登録商標）（ＢＴ）接続を確立するステップをさらに含むことを特徴とする請求項９に記載の電源制御方法。
【発明の詳細な説明】
【技術分野】
【０００１】
本発明は、近距離無線通信システムに係り、より詳しくは、電源制御機能を有する近距離無線通信システム及び電源制御方法に関する。
【背景技術】
【０００２】
スマートフォン（Ｓｍａｒｔ  Ｐｈｏｎｅ）及びタブレットＰＣのような携帯端末機は、様々なアプリケーションを通して様々な有用な機能をユーザーに提供する。したがって、携帯端末機は、様々な機能により音声通話だけではなく様々なタイプの情報を提供できるデバイスに発展している。特に、携帯端末機の様々な機能は、近距離内で近距離無線通信装置と無線通信を可能にする近距離無線通信機能を含む。
【０００３】
近距離無線通信は、ブルートゥース（登録商標）通信又は赤外線通信を使用する。近距離無線通信装置は、ヘッドセット、キーボード、マウス、ゲームコンソール、及びスマートＴＶなどを含む。
【０００４】
一方、近距離無線通信装置がターンオン状態にある場合に、携帯端末機は、前記近距離無線通信装置と無線通信を試みるおそれがある。前記近距離無線通信装置が他の携帯端末機に無線で接続されている場合、前記近距離無線通信装置が他の携帯端末機との無線通信接続を解除した後に、携帯端末機は、前記近距離無線通信装置と無線通信を試みるという不便さがある。
【先行技術文献】
【特許文献】
【０００５】
【特許文献１】米国特許公開第２０１１−０３１３９２２号公報
【発明の概要】
【発明が解決しようとする課題】
【０００６】
本発明は、上述した従来技術の問題点を解決するためになされたものであって、その目的とするところは、近距離無線通信システムにおける近距離無線通信装置が近距離無線通信（Ｎｅａｒ  Ｆｉｅｌｄ  Ｃｏｍｍｕｎｉｃａｔｉｏｎ、ＮＦＣ）を用いて電源をオンさせるシステム及び方法を提供することにある。
【０００７】
本発明の他の目的は、近距離無線通信システムにおける近距離無線通信装置が近距離無線通信を用いてリンクキーを受信し、受信したリンクキーを用いて携帯端末機とブルートゥース（登録商標）（Ｂｌｕｅｔｏｏｔｈ（登録商標）  Ｄｅｖｉｃｅ、ＢＴ）接続を確立するシステム及び方法を提供することにある。
【課題を解決するための手段】
【０００８】
上記のような目的を達成するための本発明の実施形態の一態様によれば、近距離無線通信装置における電源制御機能を有する近距離無線通信システムでは、近距離無線通信装置が、近距離無線通信（ＮＦＣ）を用いて携帯端末機の第１の近距離無線通信部に接続される場合に、リンクキーを要請するリンクキー要請メッセージを上記第１の近距離無線通信部に送信し、上記リンクキー要請メッセージに応じてリンクキー確認メッセージを上記第１の近距離無線通信部から受信すると、上記近距離無線通信装置の電源をオンさせる第２の近距離無線通信部を有することを特徴とする。
【０００９】
本発明の実施形態の他の態様によれば、携帯端末機における近距離無線通信装置の電源制御機能を有する近距離無線通信システムでは、近距離無線通信（ＮＦＣ）を用いて近距離無線通信装置の第２の近距離無線通信部に接続される場合に、上記第２の近距離無線通信部からリンクキーを要請するリンクキー要請メッセージを受信し、上記リンクキー要請メッセージに応じてリンクキー確認メッセージを上記第２の近距離無線通信部に送信する第１の近距離無線通信部と、上記第１の近距離無線通信部から上記リンクキー要請メッセージを受信すると、予め記憶されている少なくとも１つ以上のリンクキーのうちで上記近距離無線通信装置に対応するリンクキーを検索し、上記検索の結果に基づいて上記リンクキー確認メッセージを生成する第１のブルートゥース（登録商標）（ＢＴ）通信部とを有することを特徴とする。
【００１０】
本発明の実施形態のさらに他の態様によれば、近距離無線通信装置における電源制御方法は、近距離無線通信（ＮＦＣ）を用いて携帯端末機に接続される場合に、リンクキーを要請するリンクキー要請メッセージを上記携帯端末機に送信するステップと、上記リンクキー要請メッセージに応じてリンクキー確認メッセージを受信すると、上記近距離無線通信装置の電源をオンさせるステップとを有することを特徴とする。
【００１１】
本発明の実施形態のさらなる他の態様によれば、携帯端末機における近距離無線通信装置の電源制御方法は、携帯端末機が、近距離無線通信（ＮＦＣ）を用いて上記近距離無線通信装置に接続される場合に、リンクキーを要請するリンクキー要請メッセージを上記近距離無線通信装置から受信するステップと、予め記憶されている少なくとも１つ以上のリンクキーのうちで上記近距離無線装置に対応するリンクキーを検索し、上記検索の結果に基づいて上記リンクキー確認メッセージを生成するステップと、上記近距離無線通信を用いて上記リンクキー確認メッセージを上記近距離無線通信装置に送信するステップとを有することを特徴とする。
【発明の効果】
【００１２】
近距離無線通信装置は、近距離無線通信（ＮＦＣ）を用いて電源オン状態となることによりユーザーの便宜性を高めることができる。また、近距離無線通信装置は、近距離無線通信（ＮＦＣ）を用いてリンクキーを受信し、この受信したリンクキーを用いて携帯端末機とＢＴ接続を確立する。したがって、ユーザーの便宜性をさらに高めることができるという長所がある。
上述した実施形態及び他の様相、特徴、及び利点は、以下の添付図面を併用した後述の詳細な説明から、より一層明らかになるだろう。
【図面の簡単な説明】
【００１３】
【図１】本発明の実施形態による近距離無線通信システムを示す図である。
【図２】本発明の実施形態による携帯端末機の構成を示すブロック図である。
【図３】本発明の実施形態によるヘッドセットの構成を示すブロック図である。
【図４】本発明の実施形態による近距離通信システムにおける電源制御動作を示すフローチャートである。
【図５】本発明の実施形態によるヘッドセットでの電源制御動作を示すフローチャートである。
【図６】本発明の実施形態による携帯端末機におけるヘッドセットの電源を制御する動作を示すフローチャートである。
【図７】本発明の実施形態による電源がオンとなるヘッドセットを示す図である。
【発明を実施するための形態】
【００１４】
以下、本発明を実施するための形態を、図面を参照しながら詳細に説明する。下記の説明において、明瞭性と簡潔性の観点から、本発明に関連した公知の機能や構成に関する具体的な説明が本発明の要旨を不明瞭にすると判断される場合には、その詳細な説明を省略する。
【００１５】
本発明の実施形態に従って、用語‘携帯端末機’は、画像電話機、携帯電話、スマートフォン（ｓｍａｒｔ  ｐｈｏｎｅ）ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）端末機、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ（登録商標））端末機、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）端末機、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、ＤＭＢ（Ｄｉｇｉｔａｌ  Ｍｕｌｔｉｍｅｄｉａ  Ｂｒｏａｄｃａｓｔｉｎｇ）端末機、電子ブック（ｅ−ｂｏｏｋ）リーダー、携帯用コンピュータ（例えば、ラップトップ又はタブレット）、ディジタルカメラ（Ｄｉｇｉｔａｌ  ｃａｍｅｒａ）などを含む。
【００１６】
図１は、本発明の実施形態による近距離無線通信システムを示す図である。
図１を参照すると、近距離無線通信システムは、近距離無線通信装置１０３と携帯端末機１０１とを含む。近距離無線通信装置１０３は、近距離無線通信（Ｎｅａｒ  Ｆｉｅｌｄ  Ｃｏｍｍｕｎｉｃａｔｉｏｎ：以下、“ＮＦＣ”と称する）機能を提供する装置である。例えば、近距離無線通信装置１０３は、ヘッドセット、キーボード、マウス、ゲームコントソール、及びスマートＴＶなどを含む。
【００１７】
以下、近距離無線通信装置１０３がヘッドセット１０３’である場合を例に説明する。
ヘッドセット１０３’は、ＮＦＣ機能及びブルートゥース（登録商標）（ＢｌｕｅＴｏｏｔｈ（登録商標）、ＢＴ）通信機能を提供する。ヘッドセット１０３’が電源オフ（ＯＦＦ）状態にある場合に、ＮＦＣ機能によりヘッドセット１０３’の電源をオン（ＯＮ）させる。
【００１８】
具体的に、ヘッドセット１０３’がＮＦＣにより携帯端末機１０１に接続される場合に、ヘッドセット１０３’は、ＮＦＣを用いてリンクキー要請（Ｌｉｎｋ  Ｋｅｙ＿ＲＥＱ）メッセージを携帯端末機１０１に送信する。ここで、Ｌｉｎｋ  Ｋｅｙ＿ＲＥＱメッセージは、リンクキーを要請するのに使用されるメッセージであり、リンクキーを要請する第１の命令語とヘッドセット１０３’の識別子（ＩＤ）か、あるいは第１の命令語、ヘッドセット１０３’の識別子（ＩＤ）、及び携帯端末機１０１とＢＴ通信のために使用されるヘッドセット１０３’のブルートゥース（登録商標）装置（Ｂｌｕｅｔｏｏｔｈ（登録商標）  Ｄｅｖｉｃｅ：以下、“ＢＤ”と称する）アドレスを含む。
【００１９】
リンクキーは、ヘッドセット１０３’と携帯端末機１０１との間のリンクのためのキーである。ヘッドセット１０３’が携帯端末機１０１とペアリングされる場合に、リンクキーは、ヘッドセット１０３’のメモリ部及び携帯端末機１０１のメモリ部に記憶される。ＢＤアドレスは、ヘッドセット１０３’の電源オフが要請される場合に、ヘッドセット１０３’のメモリ部に記憶される。ヘッドセット１０３’の識別子は、ヘッドセット１０３’のメディアアクセスコントロール（Ｍｅｄｉｕｍ  Ａｃｃｅｓｓ  Ｃｏｎｔｒｏｌ：ＭＡＣ）アドレスであることができる。
【００２０】
ヘッドセット１０３’は、リンクキー要請（Ｌｉｎｋ  Ｋｅｙ＿ＲＥＱ）メッセージに応じて携帯端末機１０１からリンクキー確認（Ｌｉｎｋ  Ｋｅｙ＿ＣＮＦ）メッセージを受信する。リンクキー確認（Ｌｉｎｋ  Ｋｅｙ＿ＣＮＦ）メッセージは、リンクキー要請（Ｌｉｎｋ  Ｋｅｙ＿ＲＥＱ）メッセージに対する応答結果を含む。携帯端末機１０１がヘッドセット１０３’のリンクキーを予め記憶している場合に、リンクキー確認（Ｌｉｎｋ  Ｋｅｙ＿ＣＮＦ）メッセージは、携帯端末機１０１がヘッドセット１０３’のリンクキーを予め記憶していることを示す第２の命令語とヘッドセット１０３’のリンクキーとを含むことができる。これに対して、携帯端末機１０１がヘッドセット１０３’のリンクキーを予め記憶していない場合には、リンクキー確認（Ｌｉｎｋ  Ｋｅｙ＿ＣＮＦ）メッセージは、携帯端末機１０１がヘッドセット１０３’のリンクキーを記憶していないことを示す第３の命令語を含むことができる。
【００２１】
ヘッドセット１０３’は、ＢＴ通信のためのＢＴ部の電源をオンさせ、携帯Ｌｉｎｋ  Ｋｅｙ＿ＣＮＦメッセージを分析することにより端末機１０１がヘッドセット１０３’のリンクキーを記憶しているか否かを確認する。このとき、ヘッドセット１０３’は、Ｌｉｎｋ  Ｋｅｙ＿ＣＮＦメッセージ内の第２の命令語又は第３の命令語をチェックすることにより携帯端末機１０１がヘッドセット１０３’のリンクキーを記憶しているか否かを確認する。
【００２２】
確認の結果、携帯端末機１０１内にリンクキーが記憶されていないことを確認した場合、ヘッドセット１０３’は、アウトオブバンド（Ｏｕｔ  Ｏｆ  Ｂａｎｄ：以下、“ＯＯＢ”と称する）ペアリング（Ｐａｉｒｉｎｇ）方式を用いて携帯端末機１０１とＢＴ接続を確立する。ここで、ＯＯＢペアリング方式は、帯域外バンドを用いて特定の装置、例えば、携帯端末機１０１とペアリングする方式を意味する。ＯＯＢペアリング方式は、ブルートゥース（登録商標）標準に規定されているので、ここでは、その詳細な説明を省略する。
【００２３】
これとは異なり、ヘッドセット１０３’が携帯端末機１０１内にリンクキーが記憶されていることを確認した場合、ヘッドセット１０３’は、Ｌｉｎｋ  Ｋｅｙ＿ＣＮＦメッセージからリンクキーを検出し、この検出したリンクキーを１つ又はそれ以上の予め記憶されているリンクキーと比較する。比較の結果、この検出したリンクキーが予め記憶されているリンクキーのうちのいずれか１つに一致する場合、ヘッドセット１０３’は、この検出されたリンクキーを用いて携帯端末機１０１とＢＴ接続を確立する。他方、この検出したリンクキーが予め記憶されているリンクキーのうちのいずれか１つに一致しない場合、ヘッドセット１０３’は、ＯＯＢペアリング方式を用いて携帯端末機１０１とＢＴ接続を確立する。
【００２４】
携帯端末機１０１は、ＮＦＣ機能及びＢＴ通信機能を提供する。ヘッドセット１０３’の電源がオフ（ＯＦＦ）の場合に、携帯端末機１０１は、ＮＦＣ機能を用いてヘッドセット１０３’の電源をオン（ＯＮ）とする。
【００２５】
さらに詳細に説明すると、携帯端末機１０１がＮＦＣによりヘッドセット１０３’に接続される場合、携帯端末機１０１は、ＮＦＣを用いてヘッドセット１０３’からＬｉｎｋ  Ｋｅｙ＿ＲＥＱメッセージを受信する。その後に、携帯端末機１０１は、携帯端末機１０１のメモリ部でヘッドセット１０３’に対応するリンクキーを検索し、この検索の結果に基づいてＬｉｎｋ  Ｋｅｙ＿ＣＮＦメッセージを生成し、Ｌｉｎｋ  Ｋｅｙ＿ＣＮＦメッセージをヘッドセット１０３’に送信する。このとき、携帯端末機１０１がヘッドセット１０３’のリンクキーを予め記憶している場合、携帯端末機１０１は、ヘッドセット１０３’のリンクキーが記憶されていることを示す第２の命令語及びこの検索したリンクキーを含むＬｉｎｋ  Ｋｅｙ＿ＣＮＦメッセージを生成する。他方、携帯端末機１０１がヘッドセット１０３’のリンクキーを予め記憶していない場合、携帯端末機１０１は、リンクキーが記憶されていないことを示す第３の命令語を含むＬｉｎｋ  Ｋｅｙ＿ＣＮＦメッセージを生成する。
【００２６】
この後に、ヘッドセット１０３’から接続要請メッセージを受信すると、携帯端末機１０１は、この検索したリンクキーを用いてヘッドセット１０３’とＢＴ接続を確立し、接続確認メッセージをヘッドセット１０３’に送信する。ここで、接続要請メッセージは、この検索したリンクキーを用いてＢＴ接続確立を要請し、接続確認メッセージは、この検索したリンクキーを用いてＢＴ接続が確立されたことを示す。他方、ヘッドセット１０３’からＯＯＢペアリング要請メッセージを受信すると、携帯端末機１０１は、ＯＯＢペアリング方式を用いてヘッドセット１０３’とＢＴ接続を確立する。
【００２７】
図２は、本発明の実施形態による携帯端末機の構成を示すブロック図である。
図２を参照すると、携帯端末機１０１は、第１のＮＦＣ部２０１、第１のＢＴ部２０３、及び第１のメモリ部２０５を含む。
【００２８】
第１のメモリ部２０５は、プログラムメモリ及びデータメモリを含む。プログラムメモリは、携帯端末機１０１の一般的な動作を制御するためのブートプログラム（ｂｏｏｔ  ｐｒｏｇｒａｍ）及びオペレーティングシステム（Ｏｐｅｒａｔｉｎｇ  Ｓｙｓｔｅｍ：以下、“ＯＳ”と称する）を記憶し、データメモリは、携帯端末機１０１の動作の間に発生するデータを記憶する。特に、第１のメモリ部２０５は、携帯端末機１０１がＢＴ通信により接続された複数のＢＴ装置に対する複数のリンクキーを予め記憶する。ヘッドセット１０３’と携帯端末機１０１とが相互にペアリングされる場合に、リンクキーが生成され、ヘッドセット１０３’のメモリ部及び携帯端末機１０１のメモリ部に記憶される。例えば、第１のメモリ部２０５は、次のように表１に記載されたリンクキーを記憶する。
【表１】
2014078944.tif 000003
【００２９】
第１のＮＦＣ部２０１は、ＮＦＣ機能を提供する。第１のＮＦＣ部２０１は誘導電流を用いて動作するために、動作電源を第１のＮＦＣ部２０１に供給する必要がない。特に、第１のＮＦＣ部２０１は、ヘッドセット１０３’へのＮＦＣ接続の確立をモニタリングする。ヘッドセット１０３’へのＮＦＣ接続の確立のときに、第１のＮＦＣ部２０１は、Ｌｉｎｋ  Ｋｅｙ＿ＲＥＱメッセージがヘッドセット１０３’から受信されたか否かを判定する。この判定の結果、Ｌｉｎｋ  Ｋｅｙ＿ＲＥＱメッセージをヘッドセット１０３’から受信すると、第１のＮＦＣ部２０１は、Ｌｉｎｋ  Ｋｅｙ＿ＲＥＱメッセージを第１のＢＴ部２０３に送信する。
【００３０】
第１のＮＦＣ部２０１は、Ｌｉｎｋ  Ｋｅｙ＿ＲＥＱメッセージに応じて、Ｌｉｎｋ  Ｋｅｙ＿ＣＮＦメッセージを第１のＢＴ部２０３から受信し、ＮＦＣを用いてＬｉｎｋ  Ｋｅｙ＿ＣＮＦメッセージをヘッドセット１０３’に送信する。
【００３１】
第１のＢＴ部２０３は、ＢＴ通信機能を提供し、Ｌｉｎｋ  Ｋｅｙ＿ＲＥＱメッセージを第１のＮＦＣ部２０１から受信し、受信したＬｉｎｋ  Ｋｅｙ＿ＲＥＱメッセージを用いて第１のメモリ部２０５からリンクキーを検索し、検索の結果に基づいてＬｉｎｋ  Ｋｅｙ＿ＣＮＦメッセージを生成し、生成したＬｉｎｋ  Ｋｅｙ＿ＣＮＦメッセージを第１のＮＦＣ部２０１に送信する。
【００３２】
このとき、第１のＢＴ部２０３は、Ｌｉｎｋ  Ｋｅｙ＿ＲＥＱメッセージを分析することによりヘッドセット１０３’の識別子を検出し、ＢＴ装置の識別子に対応する予め記憶されている少なくとも１つ以上のリンクキーの中で検出したヘッドセット１０３’の識別子に対応するリンクキーを検索する。ヘッドセット１０３’の識別子に対応するリンクキーを検索すると、第１のＢＴ部２０３は、この検索したリンクキー及び携帯端末機１０１がヘッドセット１０３’のリンクキーを予め記憶していることを示す第２の命令語を含むＬｉｎｋ  Ｋｅｙ＿ＣＮＦメッセージを生成する。他方、ヘッドセット１０３’の識別子に対応するリンクキーが検索されない場合に、第１のＢＴ部２０３は、携帯端末機１０１がヘッドセット１０３’のリンクキーを記憶していないことを示す第３の命令語を含むＬｉｎｋ  Ｋｅｙ＿ＣＮＦメッセージを生成する。
【００３３】
第１のＢＴ部２０３は、ＢＴ通信を通して接続要請メッセージがヘッドセット１０３’から受信されるか否かを確認する。ここで、接続要請メッセージは、この検索したリンクキーを用いてＢＴ接続の確立を要請する。接続要請メッセージが受信されると、第１のＢＴ部２０３は、この検索したリンクキーを用いてヘッドセット１０３’とＢＴ接続を確立し、接続確認メッセージを第１のＮＦＣ部２０１に送信する。接続確認メッセージは、携帯端末機１０１がこの検索したリンクキーを用いてＢＴ通信を接続したことを示す。
【００３４】
第１のＢＴ部２０３が接続要請メッセージを受信しなかった場合には、第１のＢＴ部２０３は、ＯＢペアリング要請メッセージが受信されたか否かを確認する。確認の結果、ＯＯＢペアリング要請メッセージを受信すると、第１のＢＴ部２０３は、ＯＯＢペアリング方式を用いてヘッドセット１０３’とＢＴ接続を確立する。
【００３５】
図３は、本発明の実施形態によるヘッドセットの構成を示すブロック図である。
図３を参照すると、ヘッドセット１０３’は、第２のＮＦＣ部３０１、第２のＢＴ部３０３、及び第２のメモリ部３０５を含む。
【００３６】
第２のメモリ部３０５は、ヘッドセット１０３’の識別子及びＢＤアドレス及び少なくとも１つ以上のリンクキーを予め記憶する。ヘッドセット１０３’が携帯端末機１０１とペアリングされる場合に、リンクキーは、ヘッドセット１０３’のメモリ部３０５及び携帯端末機１０１の第１のメモリ部２０５に記憶される。ヘッドセット１０３’の電源オフが要請される場合に、ヘッドセット１０３’のＢＤアドレスは、第２のメモリ部３０５に記憶される。
【００３７】
第２のＮＦＣ部３０１は、ＮＦＣ機能を提供する。第２のＮＦＣ部３０１は誘導電流を用いて動作するので、第２のＮＦＣ部３０１を動作させるための電源が必要でない。特に、第２のＮＦＣ部３０１は、携帯端末機１０１へのＮＦＣ接続の設定をモニタリングする。携帯端末機１０１へのＮＦＣ接続を設定すると、第２のＮＦＣ部３０１は、Ｌｉｎｋ  Ｋｅｙ＿ＲＥＱメッセージを生成し、ＮＦＣを用いて生成されたＬｉｎｋ  Ｋｅｙ＿ＲＥＱメッセージを携帯端末機１０１に送信する。
【００３８】
このとき、第２のＮＦＣ部３０１は、第２のメモリ部３０５からヘッドセット１０３’の識別子を検出し、この検出された識別子及びリンクキーを要請する第１の命令語を含むＬｉｎｋ  Ｋｅｙ＿ＲＥＱメッセージを生成する。あるいは、第２のＮＦＣ部３０１は、第２のメモリ部３０５からヘッドセット１０３’の識別子及びＢＤアドレスを検出し、この検出した識別子、ＢＤアドレス、及び第１の命令語を含むＬｉｎｋ  Ｋｅｙ＿ＲＥＱメッセージを生成する。
【００３９】
第２のＮＦＣ部３０１は、Ｌｉｎｋ  Ｋｅｙ＿ＲＥＱメッセージに応じたＬｉｎｋ  Ｋｅｙ＿ＣＮＦメッセージを受信する。ここで、Ｌｉｎｋ  Ｋｅｙ＿ＣＮＦメッセージは、Ｌｉｎｋ  Ｋｅｙ＿ＲＥＱメッセージに対する応答結果を含む。携帯端末機１０１がヘッドセット１０３’に関連したリンクキーを予め記憶している場合に、Ｌｉｎｋ  Ｋｅｙ＿ＣＮＦメッセージは、リンクキー及び、携帯端末機１０１がヘッドセット１０３’のリンクキーを記憶していることを示す第２の命令語を含むことができる。他方、携帯端末機１０１がヘッドセット１０３’のリンクキーを記憶していない場合には、Ｌｉｎｋ  Ｋｅｙ＿ＣＮＦメッセージは、携帯端末機１０１がヘッドセット１０３’のリンクキーを記憶していないことを示す第３の命令語を含むことができる。
【００４０】
第２のＮＦＣ部３０１は、第２のＢＴ部３０３の電源をオンさせるための電源オン要請メッセージを第２のＢＴ部３０３に送信する。第２のＢＴ部３０３が活性化された後に、第２のＮＦＣ部３０１は、受信したリンクキー確認（Ｌｉｎｋ  Ｋｅｙ＿ＣＮＦ）メッセージを第２のＢＴ部３０３に送信する。このとき、第２のＮＦＣ部３０１は、電源オン要請メッセージを第２のＢＴ部３０３の電源部（図示せず）に送信することにより第２のＢＴ部３０３の電源をオンさせる。
【００４１】
第２のＢＴ部３０３は、ＢＴ機能を提供し、初期状態は電源がオフとなった状態である。特に、第２のＢＴ部３０３が第２のＮＦＣ部３０１から受信した電源オン要請メッセージにより電源がオンとなる場合に、第２のＢＴ部３０３は、ＢＴ機能を活性化させる。第２のＢＴ部３０３は、Ｌｉｎｋ  Ｋｅｙ＿ＣＮＦメッセージを第２のＮＦＣ部３０１から受信し、Ｌｉｎｋ  Ｋｅｙ＿ＣＮＦメッセージを分析することにより、携帯端末機１０１がヘッドセット１０３’のリンクキーを予め記憶しているか否かを確認する。特に、第２のＢＴ部３０３は、Ｌｉｎｋ  Ｋｅｙ＿ＣＮＦメッセージ内に含まれた第２の命令語又は第３の命令語をチェックすることにより、携帯端末機１０１がヘッドセット１０３’のリンクキーを記憶しているか否かを確認する。第２のＢＴ部３０３は、携帯端末機１０１がヘッドセット１０３’のリンクキーを記憶していないと確認される場合、第２のＢＴ部３０３は、ＯＯＢペアリング方式を用いて携帯端末機１０１とＢＴ接続を確立する。
【００４２】
他方、第２のＢＴ部３０３は、携帯端末機１０１がヘッドセット１０３’のリンクキーを予め記憶していると確認する場合、Ｌｉｎｋ  Ｋｅｙ＿ＣＮＦメッセージからリンクキーを検出し、この検出したリンクキーを予め記憶されている少なくとも１つ以上のリンクキーと比較する。比較の結果、この検出したリンクキーが予め記憶されている少なくとも１つ以上のリンクキーのうちのいずれか１つに一致する場合、第２のＢＴ部３０３は、この検出したリンクキーを用いて携帯端末機１０１とＢＴ接続を確立する。このとき、第２のＢＴ部３０３は、接続要請メッセージを送信し、この送信した接続要請メッセージに応じた接続確認メッセージを受信する。
【００４３】
ここで、接続要請メッセージは、予め記憶されているヘッドセット１０３’のリンクキーを用いてＢＴ接続の設定を要請する。この接続確認メッセージは、携帯端末機１０１が予め記憶されているヘッドセット１０３’のリンクキーを用いてＢＴ通信を確立したことを示す。
【００４４】
これに反して、この検出したリンクキーが予め記憶されている少なくとも１つ以上のリンクキーに一致しない場合には、第２のＢＴ部３０３は、ＯＯＢペアリング方式を用いて携帯端末機１０１とＢＴ接続を確立する。
【００４５】
図４は、本発明の実施形態による近距離通信システムにおける電源制御動作を示すフローチャートである。
図４を参照すると、ステップ４０１において、第２のＮＦＣ部３０１は、ＮＦＣを用いて第１のＮＦＣ部２０１に接続される。ステップ４０３において、第２のＮＦＣ部３０１は、Ｌｉｎｋ  Ｋｅｙ＿ＲＥＱメッセージを生成し、この生成したＬｉｎｋ  Ｋｅｙ＿ＲＥＱメッセージを第１のＮＦＣ部２０１に送信する。特に、第２のＮＦＣ部３０１は、ヘッドセット１０３’のＩＤを第２のメモリ部３０５から検出し、この検出したヘッドセット１０３’の識別子及びリンクキーを要請する第１の命令語を含むＬｉｎｋ  Ｋｅｙ＿ＲＥＱメッセージを生成する。あるいは、第２のＮＦＣ部３０１は、ヘッドセット１０３’のＩＤ及びＢＴアドレスを第２のメモリ部３０５から検出し、この検出したヘッドセット１０３’のＩＤ、ＢＴアドレス、及び第１の命令語を含むＬｉｎｋ  Ｋｅｙ＿ＲＥＱメッセージを生成する。
【００４６】
ステップ４０５において、第１のＮＦＣ部２０１は、Ｌｉｎｋ  Ｋｅｙ＿ＲＥＱメッセージを受信し、この受信したＬｉｎｋ  Ｋｅｙ＿ＲＥＱメッセージを第１のＢＴ部２０３に送信する。ステップ４０７において、第１のＢＴ部２０３は、第１のＮＦＣ部２０１から受信したＬｉｎｋ  Ｋｅｙ＿ＲＥＱメッセージに基づいてリンクキーを検索し、この検索の結果に基づいてＬｉｎｋ  Ｋｅｙ＿ＣＮＦメッセージを生成する。
【００４７】
このとき、第１のＢＴ部２０３は、受信したＬｉｎｋ  Ｋｅｙ＿ＲＥＱメッセージを分析することによりＬｉｎｋ  Ｋｅｙ＿ＲＥＱメッセージからヘッドセット１０３’のＩＤを検出し、第１のメモリ部２０５に予め記憶されているリンクキーのうちでヘッドセット１０３’のＩＤに対応するリンクキーを検索する。第１のメモリ部２０５でヘッドセット１０３’のＩＤに対応するリンクキーを検索する場合に、第１のＢＴ部２０３は、検索したリンクキー及び携帯端末機１０１がヘッドセット１０３’のリンクキーを予め記憶していることを示す第２の命令語を含むＬｉｎｋ  Ｋｅｙ＿ＣＮＦメッセージを生成する。これとは異なり、第１のメモリ部２０５でヘッドセット１０３’のＩＤに対応するリンクキーを検索できない場合に、第１のＢＴ部２０３は、携帯端末機１０１がヘッドセット１０３’のリンクキーを記憶していないことを示す第３の命令語を含むＬｉｎｋ  Ｋｅｙ＿ＣＮＦメッセージを生成する。
【００４８】
ステップ４０９において、第１のＢＴ部２０３は、Ｌｉｎｋ  Ｋｅｙ＿ＣＮＦメッセージを第１のＮＦＣ部２０１に送信し、ステップ４１１において、第１のＮＦＣ部２０１は、受信したＬｉｎｋ  Ｋｅｙ＿ＣＮＦメッセージをＮＦＣを用いて第２のＮＦＣ部３０１に送信する。
【００４９】
ステップ４１３において、ＮＦＣを用いて第１のＮＦＣ部２０１からＬｉｎｋ  Ｋｅｙ＿ＣＮＦメッセージを受信すると、第２のＮＦＣ部３０１は、電源オン要請メッセージを第２のＢＴ部３０３に送信することにより第２のＢＴ部３０３の電源をオンさせる。このとき、第２のＮＦＣ部３０１は、電源オン要請メッセージを第２のＢＴ部３０３の電源部（図示せず）に送信することにより、第２のＢＴ部３０３の電源をオンさせる。
【００５０】
ステップ４１５において、第２のＢＴ部３０３は、第２のＢＴ部３０３の電源がオン状態となる場合に、そのＢＴ機能を活性化させる。ステップ４１７において、第２のＮＦＣ部３０１は、受信したＬｉｎｋ  Ｋｅｙ＿ＣＮＦメッセージを第２のＢＴ部３０３に送信し、ステップ４１９において、第２のＢＴ部３０３は、受信したＬｉｎｋ  Ｋｅｙ＿ＣＮＦメッセージを分析することにより、携帯端末機１０１がヘッドセット１０３’のリンクキーを予め記憶しているか否かを確認する。
【００５１】
このとき、第２のＢＴ部３０３は、Ｌｉｎｋ  Ｋｅｙ＿ＣＮＦメッセージに含まれた第２の命令語又は第３の命令語をチェックすることにより、Ｌｉｎｋ  Ｋｅｙ＿ＣＮＦメッセージを通してリンクキーが受信されたか否かを確認する。例えば、第２の命令語がＬｉｎｋ  Ｋｅｙ＿ＣＮＦメッセージに含まれている場合に、第２のＢＴ部３０３は、リンクキーが受信されたものと判定する。他の例において、Ｌｉｎｋ  Ｋｅｙ＿ＣＮＦメッセージが第３の命令語を含む場合に、第２のＢＴ部３０３は、リンクキーが受信されないものと判定する。
【００５２】
リンクキーが受信されたと判定される場合に、第２のＢＴ部３０３は、ステップ４２５に進み、そうでなければ、第２のＢＴ部３０３は、ステップ４２３に進む。
ステップ４２３において、第２のＢＴ部３０３は、ＯＯＢペアリング方式を用いて携帯端末機１０１とＢＴ接続を確立する。他方、ステップ４２５において、第２のＢＴ部３０３は、Ｌｉｎｋ  Ｋｅｙ＿ＣＮＦメッセージでリンクキーを検出し、この検出したリンクキーを予め記憶されている少なくとも１つ以上のリンクキーと比較する。この検出したリンクキーが予め記憶されている少なくとも１つ以上のリンクキーのうちのいずれか１つに一致する場合に、第２のＢＴ部３０３は、ステップ４２９に進み、そうでなければ、ステップ４２３に戻る。
【００５３】
ステップ４２９において、第２のＢＴ部３０３は、ＢＴ通信を用いて接続要請メッセージを第１のＢＴ部２０３に送信する。ここで、接続要請メッセージは、予め記憶されているヘッドセット１０３’のリンクキーを用いてＢＴ接続の設定を要請する。
【００５４】
ステップ４３１において、第１のＢＴ部２０３は、接続要請メッセージを受信すると、この検索されたリンクキーを用いてヘッドセット１０３’とＢＴ接続を確立し、接続確認メッセージを第２のＢＴ部３０３に送信する。ここで、接続確認メッセージは、携帯端末機１０１が予め記憶されているヘッドセット１０３’のリンクキーを用いてＢＴ接続を確立したことを示す。ステップ４３３において、第２のＢＴ部３０３は、ＢＴ接続を通して接続確認メッセージを受信する。
【００５５】
図５は、本発明の実施形態によるヘッドセットの電源制御動作を示すフローチャートである。
図５を参照すると、ステップ５０１において、ヘッドセット１０３’は、ＮＦＣにより携帯端末機１０１に接続される。ステップ５０３において、ヘッドセット１０３’は、Ｌｉｎｋ  Ｋｅｙ＿ＲＥＱメッセージを生成し、ＮＦＣを用いて生成されたＬｉｎｋ  Ｋｅｙ＿ＲＥＱメッセージを携帯端末機１０１に送信する。このとき、ヘッドセット１０３’は、ヘッドセット１０３’のＩＤを第２のメモリ部３０５から検出し、この検出したヘッドセット１０３’のＩＤ及びリンクキーを要請する第１の命令語を含むＬｉｎｋ  Ｋｅｙ＿ＲＥＱメッセージを生成する。あるいは、ヘッドセット１０３’は、ヘッドセット１０３’のＩＤ及びＢＴアドレスを第２のメモリ部３０５から検出し、この検出したＩＤ、ＢＴアドレス、及び第１の命令語を含むＬｉｎｋ  Ｋｅｙ＿ＲＥＱメッセージを生成する。
【００５６】
ステップ５０５において、ヘッドセット１０３’は、ＮＦＣを用いてＬｉｎｋ  Ｋｅｙ＿ＣＮＦメッセージを携帯端末機１０１から受信したか否かを確認する。携帯端末機１０１からＬｉｎｋ  Ｋｅｙ＿ＣＮＦメッセージを受信すると、ヘッドセット１０３’は、ステップ５０７に進み、そうでなければ、ヘッドセット１０３’は、ステップ５０５を反復する。
ここで、Ｌｉｎｋ  Ｋｅｙ＿ＣＮＦメッセージは、Ｌｉｎｋ  Ｋｅｙ＿ＲＥＱメッセージに対する応答結果を含む。携帯端末機１０１がヘッドセット１０３’に関連したリンクキーを記憶している場合に、Ｌｉｎｋ  Ｋｅｙ＿ＣＮＦメッセージは、携帯端末機１０１がヘッドセット１０３’のリンクキーを記憶していることを示す第２の命令語を含むことができる。これとは異なり、携帯端末機１０１がヘッドセット１０３’のリンクキーを記憶していない場合に、Ｌｉｎｋ  Ｋｅｙ＿ＣＮＦメッセージは、携帯端末機１０１がヘッドセット１０３’のリンクキーを記憶していないことを示す第３の命令語を含むことができる。
【００５７】
ステップ５０７において、ヘッドセット１０３’は、第２のＢＴ部３０３の電源をオンさせ、ヘッドセット１０３’のＢＴ通信機能を活性化させる。ステップ５０９において、ヘッドセット１０３’は、受信したＬｉｎｋ  Ｋｅｙ＿ＣＮＦメッセージを分析し、ステップ５１１において、Ｌｉｎｋ  Ｋｅｙ＿ＣＮＦメッセージを通してリンクキーが受信されたか否かを確認する。
【００５８】
確認の結果、リンクキーが受信されたものと確認される場合に、ヘッドセット１０３’は、ステップ５１５に進み、そうでなければ、第２のＢＴ部３０３は、ステップ５１３に進む。このとき、ヘッドセット１０３’は、Ｌｉｎｋ  Ｋｅｙ＿ＣＮＦメッセージ内に含まれた第２の命令語又は第３の命令語をチェックすることにより、Ｌｉｎｋ  Ｋｅｙ＿ＣＮＦメッセージを通してリンクキーが受信されたか否かを確認する。例えば、Ｌｉｎｋ  Ｋｅｙ＿ＣＮＦメッセージ内に第２の命令語が含まれている場合に、ヘッドセット１０３’は、リンクキーが受信されたものと確認する。他の例において、Ｌｉｎｋ  Ｋｅｙ＿ＣＮＦメッセージが第３の命令語を含む場合に、ヘッドセット１０３’は、リンクキーが受信されないものと確認する。
【００５９】
ステップ５１３において、ヘッドセット１０３’は、ＯＯＢペアリング方式を用いて携帯端末機１０１とＢＴ接続を確立する。他方、ステップ５１５において、ヘッドセット１０３’は、Ｌｉｎｋ  Ｋｅｙ＿ＣＮＦメッセージ内でリンクキーを検出し、この検出したリンクキーを予め記憶されている少なくとも１つ以上のリンクキーと比較する。ステップ５１７において、ヘッドセット１０３’は、この検出したリンクキーが予め記憶されている少なくとも１つ以上のリンクキーのうちのいずれか１つに一致するか否かを確認する。確認の結果、この検出したリンクキーが予め記憶されている少なくとも１つ以上のリンクキーのうちのいずれか１つに一致する場合に、ヘッドセット１０３’は、ステップ５１９に進み、そうでなければ、ステップ５１３に進む。
【００６０】
ステップ５１９において、ヘッドセット１０３’は、ＢＴ通信を用いて接続要請メッセージを携帯端末機１０１に送信する。この接続要請メッセージは、予め記憶されているヘッドセット１０３’のリンクキーを用いてＢＴ接続の設定を要請する。
【００６１】
ステップ５２１において、ヘッドセット１０３’は、ＢＴ通信を通して接続確認メッセージを携帯端末機１０１から受信する。この接続確認メッセージは、携帯端末機１０１が予め記憶されているヘッドセット１０３’のリンクキーを用いてＢＴ接続  を確立したことを示す。
【００６２】
図６は、本発明の実施形態による携帯端末機におけるヘッドセットの電源を制御する動作を示すフローチャートである。
【００６３】
図６を参照すると、ステップ６０１において、携帯端末機１０１は、ＮＦＣを用いてヘッドセット１０３’に接続される。ステップ６０３において、携帯端末機１０１は、Ｌｉｎｋ  Ｋｅｙ＿ＲＥＱメッセージがＮＦＣを通してヘッドセット１０３’から受信されたか否かを確認する。ここで、Ｌｉｎｋ  Ｋｅｙ＿ＲＥＱメッセージは、リンクキーを要請するメッセージであり、ヘッドセット１０３’のＩＤ及びリンクキーを要請する第１の命令語を含むことができる。あるいは、Ｌｉｎｋ  Ｋｅｙ＿ＲＥＱメッセージは、ヘッドセット１０３’のＩＤ及びＢＴアドレスと第１の命令語を含むことができる。
【００６４】
Ｌｉｎｋ  Ｋｅｙ＿ＲＥＱメッセージを受信すると、携帯端末機１０１は、ステップ６０５に進み、そうでなければ、ステップ６０３を繰り返す。
ステップ６０５において、携帯端末機１０１は、ヘッドセット１０３’から受信したＬｉｎｋ  Ｋｅｙ＿ＲＥＱメッセージに基づいてリンクキーを検索し、検索の結果に基づいて、ステップ６０７において、Ｌｉｎｋ  Ｋｅｙ＿ＣＮＦメッセージを生成する。
【００６５】
このとき、携帯端末機１０１は、受信されたＬｉｎｋ  Ｋｅｙ＿ＲＥＱメッセージを分析することによりＬｉｎｋ  Ｋｅｙ＿ＲＥＱメッセージからヘッドセット１０３’のＩＤを検出し、第１のメモリ部２０５に予め記憶されているリンクキーのうちでヘッドセット１０３’のＩＤに対応するリンクキーを検索する。検索の結果、ヘッドセット１０３’のＩＤに対応するリンクキーが第１のメモリ部２０５から検出される場合に、携帯端末機１０１は、ヘッドセット１０３’のリンクキーを予め記憶していることを示す第２の命令語を含むＬｉｎｋ  Ｋｅｙ＿ＣＮＦメッセージを生成する。他方、ヘッドセット１０３’のＩＤに対応するリンクキーが第１のメモリ部２０５から検索されない場合に、携帯端末機１０１は、ヘッドセット１０３’のリンクキーを記憶していないことを示す第３の命令語を含むＬｉｎｋ  Ｋｅｙ＿ＣＮＦメッセージを生成する。
【００６６】
ステップ６０９において、携帯端末機１０１は、接続要請メッセージがＢＴ通信を通してヘッドセット１０３’から受信されたか否かを確認する。この接続要請メッセージは、ヘッドセット１０３’のあらかじめ記憶されているリンクキーを用いてＢＴ接続の設定を要請する。接続要請メッセージを受信すると、携帯端末機１０１は、ステップ６１１に進み、そうでなければ、ステップ６１５に進む。
【００６７】
ステップ６１１において、携帯端末機１０１は、検索したリンクキーを用いてヘッドセット１０３’とＢＴ接続を確立する。ステップ６１３において、携帯端末機１０１は、接続確認メッセージを生成し、ＢＴ通信を通して接続確認メッセージをヘッドセット１０３’に送信する。この接続確認メッセージは、携帯端末機１０１が検索されたリンクキーを用いてＢＴ接続を確認したことを示す。
【００６８】
ステップ６１５において、携帯端末機１０１は、ＯＯＢペアリング要請メッセージが受信されたか否かを確認する。確認の結果、ＯＯＢペアリング要請メッセージが受信されると、携帯端末機１０１は、ステップ６１７に進み、そうでなければ、携帯端末機１０１は、ヘッドセット１０３’との通信を終了する。ステップ６１７において、携帯端末機１０１は、ＯＯＢペアリング方式を用いてヘッドセット１０３’とＢＴ接続を確立する。
【００６９】
図７は、本発明の実施形態による電源がオンとなるヘッドセットを示す図である。
図７を参照すると、携帯端末機７０１がＮＦＣを通して電源オフ状態７０７にあるヘッドセット７０３に接続された後に、ヘッドセット７０３は、参照符号７０５で示したように電源がオン状態となる。このとき、ヘッドセット７０３は、ＮＦＣを通してＬｉｎｋ  Ｋｅｙ＿ＲＥＱメッセージを携帯端末機７０１に送信し、Ｌｉｎｋ  Ｋｅｙ＿ＲＥＱメッセージに応じてＮＦＣを通してＬｉｎｋ  Ｋｅｙ＿ＣＮＦメッセージを携帯端末機７０１から受信する。その後に、ヘッドセット７０３は、電源オン状態７０５となり、Ｌｉｎｋ  Ｋｅｙ＿ＣＮＦメッセージに含まれたリンクキーを用いて携帯端末機７０１とＢＴ接続を確立する。
【００７０】
以上、本発明を具体的な実施形態に関して図示及び説明したが、添付した特許請求の範囲により規定されるような本発明の精神及び範囲を外れることなく、形式や細部の様々な変更が可能であることは、当該技術分野における通常の知識を持つ者には明らかである。
【符号の説明】
【００７１】
１０１、７０１          携帯端末機
１０３  近距離無線通信装置
１０３’、７０３    ヘッドセット
２０１            第１のＮＦＣ部
２０３            第１のＢＴ部
２０５            第１のメモリ部
３０１            第２のＮＦＣ部
３０３            第２のＢＴ部
３０５            第２のメモリ部
【図１】
2014078944.tif 000004
【図２】
2014078944.tif 000005
【図３】
2014078944.tif 000006
【図４】
2014078944.tif 000007
【図５】
2014078944.tif 000008
【図６】
2014078944.tif 000009
【図７】
2014078944.tif 000010